(57)【要約】  遠心ファンは、主板２と、ファン吸込口３ａを有するシュラウド３と、それら主板及びシュラウドの間に設けられた複数の翼４とを有し、シュラウドは、シュラウド本体部１１と、延長部９とを有しており、延長部は、シュラウド本体部のシュラウド外周端部８から、回転軸５と平行な方向でみて上流側へと延びる部分であり、シュラウド本体部の径方向外側の面と、延長部の径方向内側の面とは、凹状のラウンド面３０を構成しており、凹状のラウンド面の凹みの方向は、回転軸と平行な方向でみて上流側に向かって凹んでいる。
2015111210.tif 000002
【特許請求の範囲】
【請求項１】
主板と、ファン吸込口を有するシュラウドと、それら主板及びシュラウドの間に設けられた複数の翼とを有する遠心ファンであって、
前記シュラウドは、シュラウド本体部と、延長部とを有しており、
前記延長部は、前記シュラウド本体部のシュラウド外周端部から、回転軸と平行な方向でみて上流側へと延びる部分であり、
前記シュラウド本体部の径方向外側の面と、前記延長部の径方向内側の面とは、凹状のラウンド面を構成しており、
該凹状のラウンド面の凹みの方向は、回転軸と平行な方向でみて上流側に向かって凹んでいる、
遠心ファン。
【請求項２】
前記凹状のラウンド面の曲率をρａとし、前記シュラウド本体部の前記シュラウド外周端部と、前記延長部の径方向外側の面とで構成される曲面の曲率をρｂとすると、ρａがρｂよりも小さくなる、
請求項１の遠心ファン。
【請求項３】
前記シュラウド外周端部の外径Ｒｓｈは、前記主板の外径ＲＯよりも大きい、
請求項１又は２の遠心ファン。
【請求項４】
前記凹状のラウンド面には、径方向に延びる複数の突起が形成されている、
請求項１〜３の遠心ファン。
【請求項５】
前記複数の突起は、平面視、該突起の径方向外側の部分ほど、径方向内側の部分よりも、前記遠心ファンの回転方向後方に位置するように、傾斜している、
請求項４の遠心ファン。
【請求項６】
前記延長部の先端は、該延長部のシュラウド外周端部側の部分よりも、径方向内側に位置している、
請求項１〜５の何れか一項の遠心ファン。
【請求項７】
請求項１〜６の何れか一項の遠心ファンと、該遠心ファンの外側に配置された熱交換器とを備えた、
空気調和装置。
【請求項８】
前記熱交換器における空気調和装置吹出口側の端部は、前記遠心ファンの吸込み側端部よりも、回転軸と平行な方向でみて、前記空気調和装置吹出口に近い、
請求項７の空気調和装置。
【発明の詳細な説明】
【技術分野】
【０００１】
本発明は、遠心ファン及び空気調和装置に関するものである。
【背景技術】
【０００２】
従来から、低騒音、高効率な送風機を実現するため、遠心ファンの形状に工夫を施すことが行われている。遠心ファンの騒音や損失は、気流の乱れや風速の大きさに応じて増加するため、低騒音と高効率化を実現するためには、翼周りに発生する気流の乱れを低減することや、局所的な高風速部分を緩和することが必要である。【０００３】
例えば、特許文献１には、遠心ファンの吐出側に位置するシュラウド外周部を吸込側に傾斜させ、かつ、任意の周方向断面の通風路面積が、シュラウド内周部のブレード流入部とシュラウドとが交わる位置のブレード入口周方向断面積よりも大きくなるように構成された、遠心ファンが開示されている。このような構成により、この遠心ファンでは、遠心ファンの吐出流れを送風機本体の吐出口の方向に向けさせ、遠心ファンの吐出流れの速度を、シュラウド外周部の流れの速度より減速させ、送風機の筐体側壁への衝突を少なくすることを企図している。【０００４】
また、特許文献２には、主板とブレードとシュラウドとで囲まれた空気流路の途中に断面積が最小となる最小部を形成し、最小部からシュラウド外周部までの空気流路の断面積を漸増させるように構成した、遠心ファンが開示されている。このような構成により、この遠心ファンでは、最小部からの流れの流速をゆるやかに減速させ、インペラの外周部近傍での空気の流れに乱れが生じるのを抑えることを企図している。【０００５】
また、特許文献３には、シュラウドの径方向外側の部分に、吸込側に延びるガイド部が形成されている、遠心ファンが開示されている。
【先行技術文献】
【特許文献】
【０００６】
【特許文献１】特開２０００−１２０５８２号公報（主に図２、図４）
【特許文献２】特開２０１２−２０７６００号公報（主に図４）
【特許文献３】国際公開第９８／５８２１３号（主に図１、図９）
【発明の概要】
【発明が解決しようとする課題】
【０００７】
ここで、遠心ファンから吹き出した気流は、高風速となるため、吹出口周囲には速度差による渦が発生する。特に、吹出し直後に熱交換器がある空気調和装置や、遠心方向に吹き出した気流をＵターンさせて吸込み側に送る風路を備えた送風機においては、シュラウド上面の遅い気流と主流との間の速度差により発生した渦が、吹出し風路を閉塞して通風抵抗を大きくし、ファンの消費電力増加や、狭い風路を流れる気流の風速増加による騒音増加のおそれがある。【０００８】
また、特許文献１又は特許文献２のように、吹出口近傍で翼間の風路幅や風路高さを拡大すると、内部で急拡大による圧力勾配が発生するため、風速が遅いシュラウド側の流れは剥離しやすくなる。そして、剥離により発生した渦は、翼間の流路を閉塞するため、やはり、通風抵抗の増加による消費電力増加と、吹出し流の増速による騒音悪化との恐れがある。【０００９】
また、特許文献３に開示されたシュラウドでは、ガイド部が形成の仕方によっては、不安定な渦が発生したり、渦が流路を閉塞したりする恐れがあった。【００１０】
本発明は、上記に鑑みてなされたものであり、通風抵抗の増加を抑制することができる遠心ファンを提供することを目的とする。
【課題を解決するための手段】
【００１１】
上述した目的を達成するため、本発明は、主板と、ファン吸込口を有するシュラウドと、それら主板及びシュラウドの間に設けられた複数の翼とを有する遠心ファンであって、前記シュラウドは、シュラウド本体部と、延長部とを有しており、前記延長部は、前記シュラウド本体部のシュラウド外周端部から、回転軸と平行な方向でみて上流側へと延びる部分であり、前記シュラウド本体部の径方向外側の面と、前記延長部の径方向内側の面とは、凹状のラウンド面を構成しており、該凹状のラウンド面の凹みの方向は、回転軸と平行な方向でみて上流側に向かって凹んでいる、遠心ファンを提供する。
前記凹状のラウンド面には、径方向に延びる複数の突起が形成されているように構成してもよい。
前記複数の突起は、平面視、該突起の径方向外側の部分ほど、径方向内側の部分よりも、前記遠心ファンの回転方向後方に位置するように、傾斜しているように構成してもよい。
前記延長部の先端は、該延長部のシュラウド外周端部側の部分よりも、径方向内側に位置しているように構成してもよい。
さらに、同目的を達成するため、本発明は、上述した本発明に係る遠心ファンと、該遠心ファンの外側に配置された熱交換器とを備えた、空気調和装置を提供する。
前記熱交換器における空気調和装置吹出口側の端部は、前記遠心ファンの吸込み側端部よりも、回転軸と平行な方向でみて、前記空気調和装置吹出口に近くなるように構成してもよい。
【発明の効果】
【００１２】
本発明によれば、通風抵抗の増加を抑制することができる。
【図面の簡単な説明】
【００１３】
【図１】本発明の実施の形態１に係る遠心ファンを示す斜視図である。
【図２】図１の遠心ファンの断面図である。
【図３】本発明の実施の形態１に係る空気調和装置の内部構造を側方から示す図である。
【図４】図３の空気調和装置の内部構造を、図３の矢印ＩＶの向きから示す図である。
【図５】本実施の形態１の遠心ファンに関する、流れの様子を示す図である。
【図６】第１説明例の遠心ファンに関する、流れの様子を示す図である。
【図７】第２説明例の遠心ファンに関する、流れの様子を示す図である。
【図８】本実施の形態１の第１改変形態の延長部近傍部分に関する、図２と同態様の図である。
【図９】本実施の形態１の第１改変形態に関する、図５と同態様の図である。
【図１０】本実施の形態１の第２改変形態に関する、図５と同態様の図である。
【図１１】本発明の実施の形態２に関する、図１と同態様の図である。
【図１２】本実施の形態２に関する、凹状のラウンド面側の流れを説明する平面図である。
【図１３】本発明の実施の形態３に関する、遠心ファンの斜視図である。
【図１４】図１３の遠心ファンの平面図である。
【図１５】凹状のラウンド面における突起が径方向に沿って延びている場合の、流れを説明する図である。
【図１６】本実施の形態３に関する、図１５と同態様の図である。
【図１７】本実施の形態４に関する、図５と同態様の図である。
【発明を実施するための形態】
【００１４】
以下、本発明に係る遠心ファン及び空気調和装置の実施の形態について添付図面に基づいて説明する。なお、図中、同一符号は同一又は対応部分を示すものとする。
【００１５】
実施の形態１．
図１は、本発明の実施の形態１に係る遠心ファンを示す斜視図であり、図２は、図１の遠心ファンの断面図である。図３は、本実施の形態１に係る空気調和装置の内部構造を側方から示す図であり、図４は、図３の空気調和装置の内部構造を、図３の矢印ＩＶの向きから示す図である。
【００１６】
遠心ファン１は、主板２と、シュラウド３と、複数の翼４とを備えている。主板２とシュラウド３とは、回転軸５の延びる方向に対向し、且つ、回転軸５の延びる方向に間隔をあけて、配置されている。複数の翼４は、主板２とシュラウド３との間で、回転軸５が延びる方向に延びており、それら主板２及びシュラウド３を連結している。なお、翼は、その内部が軽量化のため中空構造になっていてもよい。
【００１７】
遠心ファン１は回転可能に支持されており、これら主板２、シュラウド３及び複数の翼４は、一体となって回転する。シュラウド３の中央部分には、空気を吸込むためのファン吸込口３ａが形成されている。そして、モータ１５（図３参照）の駆動によって遠心ファン１が回転方向６のように回転されると、シュラウド３側の空気が、流れ７で示されるように、ファン吸込口３ａを介してシュラウド３と主板２との間の領域に吸い込まれ、複数の翼４の翼間を通過しながら圧力上昇してファン吹出口２２を通って遠心ファン１の外に吹き出される。
【００１８】
図２に示されるように、シュラウド３は、ファン吸込口３ａを構成しているシュラウド本体部１１の端部（すなわち吸込み側端部２８）よりも、主板２と協働してファン吹出口２２を構成しているシュラウド本体部１１の端部（すなわちシュラウド外周端部８）の方が、径方向外側に位置し且つ主板２の近くに位置する。
【００１９】
シュラウド３は、さらに、環状の延長部１０を有している。この延長部１０は、シュラウド本体部１１の最外径端部であるシュラウド外周端部８から、回転軸５と平行な方向でみて上流側（ファン吸込口３ａ側）へと延びる部分である。回転軸５の方向から平面的にみると、環状の延長部１０は、シュラウド本体部１１を包囲している。
【００２０】
また、シュラウド本体部１１の径方向外側の面と、延長部１０の径方向内側の面とは、凹状のラウンド面（rounded surface）を構成している。この凹状のラウンド面３０は、回転軸５を含む縦断面においてみて（そのような縦断面の一断面である図５おいてみて）、一つの円弧で構成されているか、または、複数の円弧を組み合わせるようにして構成されている。凹状のラウンド面３０の凹みの方向は、回転軸５と平行な方向でみて上流側（ファン吸込口３ａ側）に向かって凹む。
【００２１】
さらに、上述した遠心ファン１を備える空気調和装置１００について説明する。図３及び図４に示されるように、空気調和装置１００は、天板１３及び側板１４で構成されるユニットの内部の中央に、上述した遠心ファン１と、その遠心ファン１を回転させるモータ１５とを備えている。なお、図４は、ユニットの内部構成を示すことを優先し、透視的に示している。
【００２２】
また、ユニット内において、遠心ファン１の外側（下流側）には、遠心ファン１から流出した空気との間で熱交換を行う熱交換器１６が設けられている。熱交換器１６は、遠心ファン１を囲むように配置されている。また、熱交換器１６は、側板１４の主要な４面に沿うように配置されており、概ね四角形をなすように延びている。
【００２３】
天井１０３に埋め込まれた設置時おいてみて、ユニットの下側には、部屋１０２に面する化粧板１７が設けられている。化粧板１７の中央には、空気調和装置吸込口１８と、複数の空気調和装置吹出口１９とが設けられている。空気調和装置吸込口１８が、回転軸５及びその周囲の中央領域を占めており、空気調和装置吹出口１９は、空気調和装置吸込口１８の周りの領域を占めている。空気調和装置吹出口１９には、吹き出す気流の方向を制御する風向ベーン２０が備え付けられている。
【００２４】
このように構成された空気調和装置１００の全体でみた空気の流れ２１を、図３に示す。部屋１０２の空気は、遠心ファン１の回転により、空気調和装置吸込口１８からユニット内部に吸い上げられる。遠心ファン１のファン吸込口３ａから流入した気流は、翼間を流れる間にファン軸方向から径方向外側に向きを変えながら、翼４からエネルギーを受けて圧力上昇し、ファン吹出口２２から吹き出す。遠心ファン１において転向されて吹き出された気流は、熱交換器１６を通過する際に、主に温度調整されて、空気調和装置吹出口１９から部屋１０２へと吹き出される。
【００２５】
なお、本実施の形態１及び以下に実施の形態は、装置吸込口（ファン吸込口）から吸い込んだ流れを、遠心ファンにてＵターンさせ、装置吸込口（ファン吸込口）の上流と同方向である、装置吹出口（本例では空気調和機吹出口）へと流す送風機の一例としての空気調和装置を示している。
【００２６】
さらに、遠心ファン１の作用について、図５、図６及び図７を用いながら説明する。図５は、本実施の形態１の遠心ファンに関する、流れの様子を示す図である。図６は、第１説明例の遠心ファンに関する、流れの様子を示す図であり、図７は、第２説明例の遠心ファンに関する、流れの様子を示す図である。なお、これら図５、図６及び図７は何れも、説明の理解を促進するために、遠心ファン、ベルマウス４１及び熱交換器１６だけを図示し、ユニット内部の図示を簡略している。
【００２７】
まず、図６に示されるように、ファン吹出口２２を構成しているシュラウド外周端部に延長部を持たない第１説明例の遠心ファン５１では、ファン吹出口２２から流出して空気調和装置吹出口１９に向かう流れ７に起因して発生した渦２３が、遠心ファン１の外径よりもさらに径方向外側に拡がる。このため、実質的な風路である、渦２３と熱交換器１６とで挟まれた領域の風路幅２４は狭く、引き続き、流れ７が通過するときの通風抵抗を大きくすることとなる問題がある。
【００２８】
また、図７に示されるように、シュラウド外周端部に、ファン吸込口３ａ側に折り返しただけの周壁部６１ａを形成した第２説明例としての仮想的な遠心ファン６１では、ファン吹出口２２から吹き出した流れ７は、コアンダ効果により周壁部６１ａに沿うように引きつけられて流れ、さらに、周壁部６１ａから離脱した流れは、シュラウドとベルマウスとの間の径方向内側寄りの空気との速度差により渦２３を発生させる。そして、このように発生した渦２３からは、符号２３ａで示すようなシュラウド本体部表面や周壁部６１ａの基部のコーナ部６１ｂの近傍にかけての流れが、得られにくい。このため、渦２３は、周壁部６１ａの径方向内側に収まりにくく、遠心ファン１の外径よりもさらに径方向外側に拡がる。よって、結局は、図６の第１説明例の場合と同様、風路幅２４は狭く、引き続き、流れ７が通過するときの通風抵抗を大きくすることとなる問題がある。
【００２９】
これらに対して、本実施の形態１では、前述したように、ファン吹出口を構成するシュラウド外周端部８には、回転軸５と平行な方向でみてファン吸込口３ａ側へと延びる延長部１０を有し、且つ、延長部１０の先端９からシュラウド本体部１１までのシュラウド構成面１２が、回転軸５と平行な方向でみてファン吸込口３ａ側に凹む凹状のラウンド面３０で形成されている。このため、まず、ファン吹出口２２から吹き出した流れ７は、上記図７の場合と同様、渦２３を発生させるものの、発生した２３渦は、凹状のラウンド面３０のシュラウド構成面１２に沿って流れ、延長部１０よりも径方向内側に収まりやすい。これにより、渦２３と熱交換器１６とで挟まれた領域の風路幅２４を広く保つことができ、流れ７の通風抵抗の増加を抑制することができる。また、凹状領域に渦を収めることができるため、渦の大きさを小さくすることができ、乱れを小さくすることができる。
【００３０】
以上説明したように、本実施の形態１に係る遠心ファン及び空気調和装置によれば、吹出し風速の低減と乱れ抑制とによる低騒音化を図ることができると共に、通風抵抗低減によるモータ消費電力の低減を図ることができる。
【００３１】
次に、本実施の形態１の第１改変形態を、図８及び図９に示す。図８は、かかる第１改変形態の延長部近傍部分に関する、図２と同態様の図である。図９は、第１改変形態に関する、図５と同態様の図である。
【００３２】
上述した特許文献３に開示されていたように、ガイド部とシュラウド本体との間が鋭利な角になっていると、渦がガイド部の径方向内側で安定せず、シュラウドから漏れやすくなり、流路を閉塞する可能性がある。
【００３３】
これに対して、図８及び図９に示す第１改変形態では、シュラウド本体部１１の径方向外側の面と、延長部１０の径方向内側の面とで構成される凹状のラウンド面の曲率をρａとし、シュラウド本体部１１のファン吹出口側のシュラウド外周端部８と、延長部１０の径方向外側の面とで構成される曲面（curved surface）の曲率をρｂとすると、ρａがρｂよりも小さくなるように構成されている。つまり、凹状のラウンド面の方が、吹出し口側のシュラウド外周端部と延長部とで構成される曲面（なお角状も曲面の一態様として含む）より緩やかな湾曲となる。これにより、発生する渦２３が構成面に沿って滑らかに流れ、渦はシュラウドより外側に漏れずに安定させることができる。より詳細には、翼間を通過し吹出した気流は、コアンダ効果によりシュラウド本体部から延長部へと小回りで流れ、径方向外側に広がりにくく、よって、ファンと熱交換器との間の流路を閉塞しにくくなる。
【００３４】
さらに、本実施の形態１の第２改変形態を、図１０に示す。図１０は、第２改変形態に関する、図５と同態様の図である。この第２改変形態は、上述した図１〜図７に示した構成、又は、図８及び図９に示した構成において、シュラウド外周端部８の外径Ｒｓｈを、主板２の外径ＲＯよりも大きくしたことを特徴とする。これにより、シュラウド本体部１１の径方向外側の面と延長部１０の径方向内側の面で構成される凹状の領域が広くなり、ファンと熱交換器との間に発生した渦が凹状の領域内に収まり易くなり、広い流路を確保しやすくなる。
【００３５】
なお、上記の第１改変形態及び第２改変形態は共に、説明した部分を除いては、図１〜図７で示す実施の形態１の構成と同様であるものとする。
【００３６】
実施の形態２．
次に、本発明の実施の形態２について説明する。図１１は、本発明の実施の形態２に関する、図１と同態様の図である。なお、本実施の形態２は、以下に説明する部分を除いては、上記実施の形態１と同様であるものとする。
【００３７】
本実施の形態２における、遠心ファン１０１では、シュラウド３におけるシュラウド本体部１１の径方向外側の面と延長部１０の径方向内側の面とで構成された凹状のラウンド面３０に、複数の突起１２５が形成されている。これらの突起１２５は、延長部１０の先端９からシュラウド本体部１１のファン吸込口３ａの近傍まで延びている。また、複数の突起１２５は、径方向内側から径方向外側に向けて延びており、特に、図１１に示す具体的一例では、回転軸５の方向から平面的にみて、径方向に沿って放射状に延びている。
【００３８】
このような本実施の形態２においても、実施の形態１と同様、吹出し風速を低減でき、乱れと風速低減による低騒音化と、通風抵抗低減によるモータ消費電力低減する遠心ファンを実現できる。
【００３９】
さらに加えて、本実施の形態２では、次のような利点も得られる。送風機や空気調和装置は、図４に示したように角型の熱交換器に囲まれ、風路形態が軸対称ではないため、通風抵抗が場所によって異なり、翼間を流れる風量や風速が異なるため、吹出し流に変動が発生する。図１２に示されるように、まず、遠心ファン１０１と熱交換器１６とが離れたエリア１３１では、吹出し風速が速く、発生する渦２３を構成する旋回流が速くなるため、渦が安定して形成されて、渦２３が、もともと、凹状のラウンド面３０内に収まり易い状況にある。一方、遠心ファン１０１と熱交換器１６とが接近するエリア１３２では、吹出し風速が低くなるため、シュラウド上部と吹出し風速との速度差が小さくなり、発生する渦２３を構成する旋回流が遅くなり、渦が安定しないことがあり得る。これに関し、本実施の形態２では、凹状のラウンド面３０に上記の複数の突起１２５を設けることにより、渦を構成する旋回流を突起１２５に沿って整流し、渦がねじれにくく、特に、遠心ファン１０１と熱交換器１６とが接近するエリア１３２において、渦２３を凹状のラウンド面３０内に収める効果が、より高く得られる。
【００４０】
実施の形態３．
次に、本発明の実施の形態３について説明する。図１３及び図１４は、本発明の実施の形態３に関する、遠心ファンの斜視図及び平面図である。なお、本実施の形態３は、以下に説明する部分を除いては、上記実施の形態２と同様であるものとする。
【００４１】
本実施の形態３における、遠心ファン２０１では、シュラウド３におけるシュラウド本体部１１の径方向外側の面と延長部１０の径方向内側の面とで構成された凹状のラウンド面３０に、複数の突起２２５が形成されている。これらの突起２２５は、延長部１０の先端９からシュラウド本体部１１のファン吸込口３ａの近傍まで延びている。また、複数の突起２２５は、径方向内側から径方向外側に向けて延び、さらに、平面視、径方向そのものに対して傾斜して延びている。すなわち、複数の突起２２５は、平面視、突起２２５の径方向外側の部分ほど、径方向内側の部分よりも、遠心ファン２０１の回転方向６の逆側（回転方向後方）に位置するように、傾斜している。
【００４２】
このような本実施の形態３においても、実施の形態１と同様、吹出し風速の低減と乱れ抑制とによる低騒音化を図ることができると共に、通風抵抗低減によるモータ消費電力の低減を図ることができる。
【００４３】
さらに加えて、本実施の形態３では、次のような利点も得られる。遠心ファン２０１は回転しながら気流を吹き出すので、凹状のラウンド面３０上に生じる旋回流は、ファン周方向に軸を持つ渦で構成される。すなわち、旋回流は、凹状のラウンド面３０との摩擦によりファン回転方向に進行する成分も持つ。ここで、複数の突起が、平面視、径方向そのものに沿って延びている場合、図１５に示されるように、径方向内側のシュラウド側を起点とする流れ２２７ａが径方向外側の延長部付近に達するときの流れ２２７ｂは、回転方向６へ進んだ位置になり、渦を構成する旋回流が斜めにねじれる。よって、流れは、渦の中心軸方向に流れが旋回しながら進行する縦渦状態２２３Ａになる。渦周囲の気流２２８が旋回方向に巻き込まれて、熱交換器側への吹き出しが低減する恐れがある。
【００４４】
これに対し、本実施の形態３のように複数の突起２２５が傾斜していることで、図１６に示されるように、径方向内側のシュラウド側を起点とする流れ２２７ａが径方向外側の延長部付近に達するときの流れ２２７ｂは、ファン回転方向と逆側に進む。つまり、ファン回転方向と流れの進行方向との合成により、渦２２３Ｂを構成する旋回流がねじれにくくなり、縦渦状態が緩和される。これにより、渦周囲の気流が旋回方向に巻き込まれることを抑制し、熱交換器へ流れる風量を好適に確保できる。
【００４５】
実施の形態４．
次に、本発明の実施の形態４について説明する。図１７は、本発明の実施の形態４に関する、図５と同態様の図である。なお、本実施の形態４は、以下に説明する部分を除いては、上記実施の形態１〜３の何れかと同様であるものとする。
【００４６】
本実施の形態４における、遠心ファン３０１は、シュラウド本体部のシュラウド外周端部８から上流側へと延びる延長部３１０を有しており、この延長部３１０における先端９は、図１６に示されるように、延長部３１０におけるシュラウド外周端部８側の部分よりも、径方向内側に位置している。
【００４７】
このような本実施の形態４においても、実施の形態１と同様、吹出し風速の低減と乱れ抑制とによる低騒音化を図ることができると共に、通風抵抗低減によるモータ消費電力の低減を図ることができる。
【００４８】
さらに加えて、本実施の形態４によれば、延長部の先端が延長部のシュラウド外周端部側の部分よりも、径方向内側に位置しているので、延長部とシュラウド本体部に囲まれた領域にできる渦がより径方向内側にできるため、延長部と熱交換器部の風路幅を広く確保することができる。その結果、通風抵抗がより小さくなり消費電力を抑制する遠心ファンを実現できる。
【００４９】
実施の形態５．
次に、本発明の実施の形態５について説明する。本実施の形態５に関する特徴は、熱交換器１６の空気調和装置吹出口側の端部２９が、遠心ファンの吸込み側端部２８よりも、回転軸５と平行な方向でみて、空気調和装置吹出口１９に近いことである。なお、本実施の形態５の上記特徴は、上記実施の形態１〜４の何れの構成においても適用することができるが、上述した説明の図面においては、図５及び図１７に図示されている。このような特徴により、上記実施の形態１〜４の効果をさらに大きくすることができる。
【００５０】
以上、好ましい実施の形態を参照して本発明の内容を具体的に説明したが、本発明の基本的技術思想及び教示に基づいて、当業者であれば、種々の改変態様を採り得ることは自明である。
【００５１】
例えば、本発明は、熱交換器を備えた空気調和装置に限らず、吹出口の径方向外側に壁があり、吸い込んだ気流をＵターンさせて排出する送風機において広く適用することができる。
【００５２】
また、延長部とシュラウド本体部とで構成される凹状のラウンド面の形状は、渦を安定して形成できる形状の一例として、円弧による形状を示したが、本発明としては、これに限定されず、延長部の長さに応じて複数の円弧を接線でつなぎ合わせたラウンド面で構成することもできる。すなわち、本発明は、上述した本発明に係る遠心ファンと、その遠心ファンを駆動するモータとを備えた送風機も提供する。
【符号の説明】
【００５３】
１、１０１、２０１，３０１  遠心ファン、２  主板、３  シュラウド、３ａ  ファン吸込口、５  回転軸、６  回転方向、８  シュラウド外周端部、１０、３１０  延長部、１１  シュラウド本体部、１６  熱交換器、１９  空気調和機吹出口、２８  吸込み側端部、２９  空気調和機吹出口側の端部、２５、１２５、２２５  突起、３０  凹状のラウンド面、１００  空気調和装置。
【図１】
2015111210.tif 000003
【図２】
2015111210.tif 000004
【図３】
2015111210.tif 000005
【図４】
2015111210.tif 000006
【図５】
2015111210.tif 000007
【図６】
2015111210.tif 000008
【図７】
2015111210.tif 000009
【図８】
2015111210.tif 000010
【図９】
2015111210.tif 000011
【図１０】
2015111210.tif 000012
【図１１】
2015111210.tif 000013
【図１２】
2015111210.tif 000014
【図１３】
2015111210.tif 000015
【図１４】
2015111210.tif 000016
【図１５】
2015111210.tif 000017
【図１６】
2015111210.tif 000018
【図１７】
2015111210.tif 000019
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
主板と、ファン吸込口を有するシュラウドと、それら主板及びシュラウドの間に設けられた複数の翼とを有する遠心ファンであって、
前記シュラウドは、シュラウド本体部と、延長部とを有しており、
前記延長部は、前記シュラウド本体部のシュラウド外周端部から、回転軸と平行な方向でみて上流側へと延びる部分であり、
前記シュラウド本体部の径方向外側の面と、前記延長部の径方向内側の面とは、凹状のラウンド面を構成しており、
該凹状のラウンド面の凹みの方向は、回転軸と平行な方向でみて上流側に向かって凹んでおり、
前記凹状のラウンド面の曲率をρａとし、前記シュラウド本体部の前記シュラウド外周端部と、前記延長部の径方向外側の面とで構成される曲面の曲率をρｂとすると、ρａがρｂよりも小さくなる、
遠心ファン。
【請求項２】
前記凹状のラウンド面には、径方向に延びる複数の突起が形成されている、
請求項１の遠心ファン。
【請求項３】
前記複数の突起は、平面視、該突起の径方向外側の部分ほど、径方向内側の部分よりも、前記遠心ファンの回転方向後方に位置するように、傾斜している、
請求項２の遠心ファン。
【請求項４】
前記延長部の先端は、該延長部のシュラウド外周端部側の部分よりも、径方向内側に位置している、
請求項１〜３の何れか一項の遠心ファン。
【請求項５】
主板と、ファン吸込口を有するシュラウドと、それら主板及びシュラウドの間に設けられた複数の翼とを有する遠心ファンであって、
前記シュラウドは、シュラウド本体部と、延長部とを有しており、
前記延長部は、前記シュラウド本体部のシュラウド外周端部から、回転軸と平行な方向でみて上流側へと延びる部分であり、
前記シュラウド本体部の径方向外側の面と、前記延長部の径方向内側の面とは、凹状のラウンド面を構成しており、
該凹状のラウンド面の凹みの方向は、回転軸と平行な方向でみて上流側に向かって凹んでおり、
前記凹状のラウンド面には、径方向に延びる複数の突起が形成されており、
前記複数の突起は、平面視、該突起の径方向外側の部分ほど、径方向内側の部分よりも、前記遠心ファンの回転方向後方に位置するように、傾斜している、
遠心ファン。
【請求項６】
前記延長部の先端は、該延長部のシュラウド外周端部側の部分よりも、径方向内側に位置している、
請求項５の遠心ファン。
【請求項７】
主板と、ファン吸込口を有するシュラウドと、それら主板及びシュラウドの間に設けられた複数の翼とを有する遠心ファンであって、
前記シュラウドは、シュラウド本体部と、延長部とを有しており、
前記延長部は、前記シュラウド本体部のシュラウド外周端部から、回転軸と平行な方向でみて上流側へと延びる部分であり、
前記シュラウド本体部の径方向外側の面と、前記延長部の径方向内側の面とは、凹状のラウンド面を構成しており、
該凹状のラウンド面の凹みの方向は、回転軸と平行な方向でみて上流側に向かって凹んでおり、
前記延長部の先端は、該延長部のシュラウド外周端部側の部分よりも、径方向内側に位置している、
遠心ファン。
【請求項８】
前記シュラウド外周端部の外径Ｒｓｈは、前記主板の外径ＲＯよりも大きい、
請求項１〜７の何れか一項の遠心ファン。
【請求項９】
請求項１〜８の何れか一項の遠心ファンと、該遠心ファンの外側に配置された熱交換器とを備えた、
空気調和装置。
【請求項１０】
前記熱交換器における空気調和装置吹出口側の端部は、前記遠心ファンの吸込み側端部よりも、回転軸と平行な方向でみて、空気調和装置吹出口に近い、
請求項９の空気調和装置。
【国際調査報告】
2015111210.tif 000020
2015111210.tif 000021
2015111210.tif 000022
2015111210.tif 000023